【手続補正書】
【提出日】平成15年10月21日(2003.10.21)
【手続補正１】
【補正対象書類名】明細書
【補正対象項目名】００３０
【補正方法】変更
【補正の内容】
【００３０】
第２側板９２は、図３および図４に示すように、第２枠体８２の垂直壁面８２ｃに外側から密着する第１枠体８０の垂直壁面８０ｃの外側から所定間隔を保つための２本の所定長さの棒状体９３を介してビスやナットなどによって垂直壁面８２ｃに固定される。また、第２枠体８２の垂直壁面８２ｃと第３枠体８４の垂直壁面８４ｃとの間には、垂直壁面８２ｃの２本の棒状体９３の中心線上の位置に穿孔された丸孔８２ｈに回転可能に嵌合する円筒部９４ａと、第３枠体８４の垂直壁面８４ｃに設けられためねじ部８４ｇと螺合するおねじ部９４ｂとを有し、第３枠体８４を第２枠体８２に対して図中矢印Ｘ方向に移動するための駆動ねじ軸（駆動ねじ）９４が設けられる。垂直壁面８２ｃと８４ｃとの間には駆動ねじ軸９４の円筒部９４ａとおねじ部９４ｂとがその中心を貫通する圧縮ばね９５が介在し、付勢する。この駆動ねじ軸９４は、垂直壁面８２ｃの外面に当接する端部を有し、円筒部９４ａに続く六角柱部９４ｃを有し、この六角柱部９４ｃの端部は、円筒状をなし、第２側板９２に設けられた開口９２ａから突出し、その先端には六角レンチが嵌合する六角穴部９４ｄが形成される。六角穴部に六角レンチを嵌合して駆動ねじ軸９４を回転させることにより、駆動ねじ軸９４に沿って、すなわち図中矢印Ｘ方向に第３枠体８４を移動することができる。また、駆動ねじ軸９４の六角柱部９４ｃは、その両端が２本の棒状体９３に係合される板ばね９６によって押圧される。このため、本発明においては、駆動ねじ軸９４が六角柱部９４ｃによって１／６回転毎にロックされ、第３枠体８４のＸ方向の移動をねじピッチの１／６の精度で調整可能とすることができる。


【手続補正２】
【補正対象書類名】明細書
【補正対象項目名】００５３
【補正方法】変更
【補正の内容】
【００５３】
読取開始の指示が出されると、まず、Ｇフィルタ３４Ｇが挿入され、後のプレスキャンと同様にＧ画像が読み取られ、得られた画像の画像コントラストから焦点調整量が決定され、焦点調整手段はこれに応じて焦点調整モータを駆動して焦点調整レンズ部７０の調整を行う。
次いで、プレスキャンが開始され、光源部２０において、可変絞り３２が開放状態となる（あるいは規定絞り値に調整される）。焦点調整でＧフィルタ３４Ｇが光路Ｌに挿入されているので、その状態のまま、Ｇフィルタ３４Ｇによって調光された光がストリップスＡを透過してＧ画像を担持する投影光となり、レンズユニット６４によってイメージセンサ２６に結像され、原稿画像のＧ画像が光電的に読み取られ、プレスキャンにおけるＧ画像の読み取りが終了する。
イメージセンサ２６によって読み取られたＧ画像の画像データは、制御装置１４の画像処理手段７２に送られ、画像処理手段７２のメモリに記憶されると共に、条件設定部７８に送られる。
条件設定部７８においては、このＧ画像の画像データから、本スキャンでのＧ画像読取の際における可変絞り３２の調整量を決定する。なお、可変絞り３２の調整量は、例えばＬＡＴＤ（大面積透過濃度）等を用いた公知の方法によればよい。


【手続補正３】
【補正対象書類名】明細書
【補正対象項目名】００５４
【補正方法】変更
【補正の内容】
【００５４】
プレスキャンでのＧ画像の読み取りが終了すると、色フィルタ板３４が回転して、例えば、次いでＲフィルタ３４Ｒが光路Ｌに挿入され、同様に、原稿画像のＲ画像が読み取られて画像データが画像処理手段７２に送られて記憶され、また、条件設定部７８において本スキャンにおけるＲ画像読取の際の可変絞り３２の調整量等が決定される。さらに、同様にして、Ｂ画像が読み取られ可変絞り３２の調整量等が決定され、プレスキャンが終了する。


【手続補正４】
【補正対象書類名】明細書
【補正対象項目名】００５６
【補正方法】変更
【補正の内容】
【００５６】
読取条件や画像処理条件が決定され、また、焦点調整等が終了すると、制御部７４から本スキャン開始の指示が出される。
本スキャンが開始されると、先に条件設定部７８で決定されたＧ画像読取における絞り調整量に応じて可変絞り３２が調整され、同時にＧフィルタ３４Ｇが光路Ｌに挿入されて、可変絞り３２によって光量調整され、Ｇフィルタ３４Ｇによって調光された光がストリップスＡを透過して、投影光がレンズユニット６４によってイメージセンサ２６に結像され、原稿画像のＧ画像が読み取られ、制御装置１４に送られる。
Ｇ画像の読み取りが終了すると、先に条件設定部７８で決定されたＲ画像読取における絞り調整量に応じて可変絞り３２が調整され、同時にＲフィルタ３４Ｒが光路Ｌに挿入されて、同様にしてＲ画像が読み取られて制御装置１４に送られ、さらに同様にしてＢ画像が読み取られ、制御装置１４に送られる。
制御装置１４の画像処理手段７２は、イメージリーダ２６からの出力信号に、条件設定部７８で決定された画像処理条件に応じてＡ／Ｄ変換等の所定の処理を施して出力のための画像情報として記録装置Ｐに出力する。


【手続補正５】
【補正対象書類名】明細書
【補正対象項目名】００６５
【補正方法】変更
【補正の内容】
【００６５】
このような光強度の測定作業をオペレータは、パワーメータ本体１０４の位置を測定点Ｐ2 ，Ｐ3 ，Ｐ4 と変えながら続けるとともに、光源３０を点灯したまま六角レンチを使って外装カバー１１の前面の開口９８や右側面の開口９９を通して光源移動装置１６の駆動ねじ９７および９４を左右に回転して光源３０の位置を、測定点Ｐ1 ，Ｐ2 ，Ｐ3 ，Ｐ4 の光量（光強度）が可能な限り、均一になるように調整する。なお、調整の許容限度は、特に制限的ではなく、できるだけ小さい方が良いが、図示例では±２％とした。例えば、測定点Ｐ1 ，Ｐ2 ，Ｐ3 ，Ｐ4 の光強度をそれぞれＩ1 ，Ｉ2 ，Ｉ3 ，Ｉ4 とすると、比Ｉ2 ／Ｉ1 ，Ｉ3 ／Ｉ1 の値、より好ましくはこれらに加えＩ4 ／Ｉ1 の値、さらに好ましくはこれらに加えＩ2 ／Ｉ4 ，Ｉ3 ／Ｉ4 の値の変動を±２％以下に抑えるようにすればよい。


【手続補正６】
【補正対象書類名】明細書
【補正対象項目名】００６９
【補正方法】変更
【補正の内容】
【００６９】
この後、前述したフィルム原稿Ａの画像読取と同様に、イメージセンサ２６によって読み取られた光源像の画像データは制御装置１２の画像処理手段７２に送られ、所要の画像処理が施された後、モニタ用ディスプレイ７５に表示される。ここでディスプレイに表示される画像は、光源像のバランス状態を所定濃度（光量）間隔で等高線で表示してもよいが、この場合にはイメージセンサ２６の全エリアからの画像データを画像処理をする必要があるため、画像処理して表示するまでの時間が問題となる。このため本発明においては、イメージセンサ２６の全有効エリアから複数の測定点のみを抽出し、これらの測定点の画像データを用いてディスプレイにモニタ表示するようにするのが好ましい。本発明においては、複数の測定点の画像データをメモリ７９に記憶して、光源初期位置を登録する。


【手続補正７】
【補正対象書類名】明細書
【補正対象項目名】００７４
【補正方法】変更
【補正の内容】
【００７４】
こうして得られた結果Ｘ，Ｙをディスプレイ７５に表示する。ディスプレイ７５の表示画面１３０の一例を図１０に示す。ここで、図中右側にあるＸ（水平）方向の帯状のインジケータ１３２は、光源初期位置登録時に求められ、登録された比Ｘ0 からのずれ量を色で表示するものであり、Ｇは緑色で表示されることを表わし、緑色の範囲はＸ0 からのずれ量が±２％の範囲（図中左側が１．０２（±２％）、右側が０．９８（−２％）を示す）であり、この範囲に調整されていれば、プリント品質が保証される安全な範囲であることを示す。インジケータ１３２のＹは、黄色で表示され、絶対値で３％と２％との間（−３％〜−２％および＋２％〜＋３％）の範囲を示し、プリント品質の維持には注意が必要な範囲であることを示す。インジケータ１３２のＲは、赤色で表示され、絶対値で３％以上である（−３％以下および＋３％以上の）範囲を示し、プリント品質が保証されない危険な範囲であることを示す。


【手続補正８】
【補正対象書類名】明細書
【補正対象項目名】００７５
【補正方法】変更
【補正の内容】
【００７５】
そして、インジケータ１３２の下側のカーソル１３４は、上記式（３）で得られたＸの値をインジケータ１３２に対して可能なかぎりリアルタイムで表示するもので光源３０の位置調整により、Ｘ方向に移動可能である。カーソル１３４の下側の２つの矢印は、六角レンチを外装カバー１１の右側面の開口９９に挿入して光源移動装置１６の駆動ねじ軸９４を右方向または左方向に回転させて、光源３０を右または左に移動させた時にカーソル１３４が移動する方向（向き）を示す。
また、図１０の左側のＹ（垂直）方向に帯状のインジケータ１３６は、光源初期位置登録時に求められ、登録された比Ｙ0 からのずれ量を示すもので、インジケータ１３２と同様の機能を有する。また、インジケータ１３６の左側のカーソル１３８は、上記式（３）で求められたＹの値をインジケータ１３６に対して可能な限りリアルタイムで表示するもので、光源３０の位置調整によりＹ方向に移動可能である。さらに、カーソル１３８のさらに左側の２つの矢印は、外装カバー１１の正面の開口９８を通して六角レンチで光源移動装置１６の駆動ねじ９７を右回転または左回転させて、光源３０を手前または奥に移動させた時にカーソル１３８が移動する方向を示す。


【手続補正９】
【補正対象書類名】明細書
【補正対象項目名】００７６
【補正方法】変更
【補正の内容】
【００７６】
こうして、ユーザまたはオペレータは、ディスプレイ７５の表示画面１３０を見ながら、外装カバー１１の外側から右側面の開口９９または正面の開口９８を通して、それぞれ六角レンチを光源移動装置１６の駆動ねじ軸９７または９４の六角孔部に嵌合して、左右に回転し、ディスプレイ７５に表示されたカーソル１３４または１３８をそれぞれＸまたはＹ方向に移動して、それぞれのインジケータ１３２または１３６の緑色の表示範囲内に、好ましくはできるだけその中心にくるように調整する。
本発明においては、ディスプレイ７５内表示画面に、光源光量のバランス状態を図１０に示すように表示することができるので、オペレータは、ディスプレイ７５の表示画面１３０を見ながら、調整箇所（正面か右側面か）、調整方向（向き、右回転か左回転か）、調整終了（インジケータ１３２，１３６の緑色の範囲か）を容易に確認することができる。


【手続補正１０】
【補正対象書類名】明細書
【補正対象項目名】００７７
【補正方法】変更
【補正の内容】
【００７７】
こうして、図１０に示されるように、カーソル１３４および１３８がそれぞれインジケータ１３２および１３６の緑色の範囲内に調整されると、六角レンチを開口９８または９９から抜き光源３０の位置調整は終了し、イメージセンサ２６の位置による感度ムラに依存せず、光源３０の中心位置をフィルム原稿面（イメージセンサ２６の受光面）の中心の最適な位置に調整することができる。
この後、光源初期位置登録時と同様に、自動的にシェーディング補正が行なわれ、光源３０およびイメージセンサ２６のシェーディングが補正され、イメージセンサ２６の全有効画素エリアからの均一な出力値が得られる。
こうして作業終了後、光源位置調整モードが終了し、この後、制御装置１４は画像入力装置１０を通常の画像読取モードに復帰させ、前述した通常の画像読取作業を行なわせることができる。


【手続補正１１】
【補正対象書類名】明細書
【補正対象項目名】００７９
【補正方法】変更
【補正の内容】
【００７９】
また、上述した光源初期位置登録モードおよび光源位置調整モードにおける光源部２０および結像部２４のデフォルト条件は、上述した例に限定されず、光源位置調整を好適にできれば、どのような条件であってもよい。また、上述した例では、光量バランスが登録され、かつ調整される測定点は、Ｐ1 ，Ｐ2 ，Ｐ3 の３点であるが、本発明はこれに限定されず、これらに測定点Ｐ4 を加えた４点であってもよいし、さらに多くの測定点を用いてもよいことは明らかである。また、ディスプレイ７５への表示方法も、図示例に限定されず、対話式でリアルタイムで調整結果が表示できるものであれば、どのようなものであってもよい。
なお、光源３０のθ方向の調整は、外装カバー１１を開け、光源３０を点灯しない状態で、目視しながら棒状体８６ｆによって行うが、光源３０を点灯し、外装カバー１１の外側から行うように構成してもよい。


【手続補正１２】
【補正対象書類名】明細書
【補正対象項目名】図面の簡単な説明
【補正方法】変更
【補正の内容】
【図面の簡単な説明】
【図１】本発明に係る光源位置調整方法を実施する画像入力装置の一実施例の概略斜視図である。
【図２】図１に示される画像入力装置の光源部の構成の一実施例の概略斜視図である。
【図３】図２に示される光源部に適用される光源装置の光源移動装置の一実施例の斜視図である。
【図４】図３に示す光源移動装置を用いた光源装置の断面図である。
【図５】図３に示す光源移動装置に光源を組み込んだ光源装置を用いる光源部の縦断面模式図である。
【図６】図４に示す光源装置を用いる光源部の横断面模式図である。
【図７】本発明の光源位置調整方法の光源初期位置登録に用いられる専用の測定治具の一実施例の概略断面図である。
【図８】（ａ）および（ｂ）は、それぞれ図７に示す測定治具の支持台の上面図およびパワーメータ本体（位置決め板）の底面図である。
【図９】本発明に係る光源位置調整方法を実施するために測定するフィルム原稿面およびイメージセンサにおける測定点の一例を示す図である。
【図１０】図９に示すイメージセンサの測定点で測定された測定結果が表示されるモニタの表示画面の一例を示す説明図である。
【符号の説明】
１０  画像入力装置
１１  外装カバー
１２  制御装置
１４  光源装置
１６  光源移動装置
１７  脚部
１８  光学フレーム
２０  光源部
２２  キャリアベース
２４  結像部
２６  イメージセンサ
２８  フィルムキャリア
３０  光源
３１  リフレクタ
３２  可変絞り
３４  色フィルタ板
３６  拡散ボックス
３８  冷却ファン
６４  レンズユニット
６６  焦点調整モータ
６８  ズームレンズ部
７０  焦点調整レンズ部
７２  画像処理手段
７３  焦点調整手段
７４  制御部
７５  ディスプレイ
７６  キーボード
７７  マウス
７８  条件設定部
７９  メモリ
８０  第１枠体
８０ｆ，８０ｇ，８２ｆ，８６ｃ，９２ａ，９８，９９  開口
８０ｉ，９０ｂ，９２ｂ  光源カバー
８２  第２枠体
８２ｈ，８４ｅ  丸孔
８３，８５  ボールプランジャ
８４  第３枠体
８６  第４枠体
８６ｆ  棒状体
８８  ソケット
９０  第１側板
９２  第２側板
９４，９７  駆動ねじ軸（駆動ねじ）
１００  測定治具
１０２  支持台
１０４  パワーメータ本体
１０６  表示計
１０８，１１０  脚
１１２，１１４  位置決めピン
１１６，１２２  開口
１１８  位置決め板
１２０  パワーメータ
１２４，１２６  位置決め孔